(57)【要約】  本発明は、第１の基地局（ＢＳ１）からサービス提供を受ける第１のデバイス（ＵＥ１）と、第２の基地局（ＢＳ２）からサービス提供を受ける第２のデバイス（ＵＥ２）との間の通信ネットワークにおいて直接通信を確立する為の方法に関し、第１及び第２の基地局（ＢＳ１、ＢＳ２）の内の一つの基地局が、直接通信の協調の為のマスタ基地局（ＢＳ１）として決定され、第１及び第２のデバイス（ＵＥ１、ＵＥ２）の内の少なくとも一方のデバイスは、第１及び第２のデバイス（ＵＥ１、ＵＥ２）の内の別のデバイスから送信される信号の信号測定を実行し、第１及び第２のデバイスの内の少なくとも一方のデバイスは、マスタ基地局（ＢＳ１）に対して信号測定の結果を報告し、マスタ基地局（ＢＳ１）は、結果に基づき、直接通信が確立されるべきであるか否かと、その為の基地局（ＢＳ１、ＢＳ２）と、ゲートウェイ（ＰＤＮＧＷ）と、デバイス（ＵＥ２）とを決定する。
2016512669.tif 000002
【特許請求の範囲】
【請求項１】
第１の基地局（ＢＳ１）からサービスの提供を受ける第１のデバイス（ＵＥ１）と、第２の基地局（ＢＳ２）からサービスの提供を受ける第２のデバイス（ＵＥ２）との間の通信ネットワークにおいて、直接通信を確立するための方法であって、
●前記第１の基地局および前記第２の基地局（ＢＳ１、ＢＳ２）のうちの一つの基地局は、前記直接通信の協調のためのマスタ基地局（ＢＳ１）として決定され、
●前記第１のデバイスおよび前記第２のデバイス（ＵＥ１、ＵＥ２）のうちの少なくとも一方のデバイスは、前記第１のデバイスおよび前記第２のデバイス（ＵＥ１、ＵＥ２）のうちの別のデバイスによって送信される信号の信号測定を実行し、
●前記第１のデバイスおよび前記第２のデバイス（ＵＥ１、ＵＥ２）のうちの前記少なくとも一方のデバイスは、前記マスタ基地局（ＢＳ１）に対して信号の前記測定の結果を報告し、
●前記マスタ基地局（ＢＳ１）は、信号の前記測定の前記結果に基づいて、前記直接通信が確立されるべきかどうかを決定し、前記第１の基地局および前記第２の基地局（ＢＳ１、ＢＳ２）のうちの別の基地局（ＢＳ２）に、前記直接通信が確立されるべきかどうかを通知し、
●前記マスタ基地局（ＢＳ１）は、前記第１のデバイスおよび前記第２のデバイス（ＵＥ１、ＵＥ２）のうちの一つのデバイス（ＵＥ１）にどれが前記マスタ基地局（ＢＳ１）によってサービスされるかを通知し、他方の基地局（ＢＳ２）に前記直接通信のための割り付けられたリソースについて通知する、方法。
【請求項２】
前記マスタ基地局（ＢＳ１）は、前記マスタ基地局（ＢＳ１）とのダウンリンク同期化を確立するために他方の基地局（ＢＳ２）からサービスの提供を受ける前記第１のデバイスおよび前記第２のデバイスのうちの一方（ＵＥ２）をトリガするように、前記第１の基地局および前記第２の基地局（ＢＳ１、ＢＳ２）のうちの他方の基地局（ＢＳ２）に指示する、請求項１に記載の方法。
【請求項３】
前記マスタ基地局（ＢＳ１）は、前記マスタ基地局（ＢＳ１）に対する他方の基地局（ＢＳ２）によってサービスされる前記第１のデバイスおよび前記第２のデバイスのうちの一方（ＵＥ２）のハンドオーバをトリガするように、前記第１の基地局および前記第２の基地局（ＢＳ１、ＢＳ２）のうちの他方の基地局（ＢＳ２）に指示する、請求項１に記載の方法。
【請求項４】
コール・セットアップ・プロシージャをトリガする前記第１のデバイスおよび前記第２のデバイス（ＵＥ１、ＵＥ２）のうちの一つのデバイス（ＵＥ１）にサービスする基地局（ＢＳ１）は、マスタ基地局（ＢＳ１）として決定される、請求項１乃至３のいずれか１項に記載の方法。
【請求項５】
前記第１の基地局および前記第２の基地局（ＢＳ１、ＢＳ２）のうちの一つの基地局（ＢＳ１）は、コア・ネットワークまたは隣接する基地局に向かう生成されたトラフィックの量と、前記第１の基地局および前記第２の基地局（ＢＳ１、ＢＳ２）におけるトラフィック負荷と、接続されたデバイス（ＵＥ１、ＵＥ２）の数とのグループのうちの少なくとも１つに基づいて、マスタ基地局（ＢＳ１）として決定される、請求項１乃至４のいずれか１項に記載の方法。
【請求項６】
前記マスタ基地局（ＢＳ１）は、前記第１のデバイスおよび前記第２のデバイス（ＵＥ１、ＵＥ２）のうちの前記少なくとも一方のデバイスをトリガして、前記第１のデバイスおよび前記第２のデバイス（ＵＥ１、ＵＥ２）のうちの他方のデバイスによって送信される信号の前記信号測定を実行する、請求項１乃至５のいずれか１項に記載の方法。
【請求項７】
前記直接通信が、確立されるべきかどうかを決定するために、前記マスタ基地局（ＢＳ１）は、しきい値と、前記第１の基地局および前記第２の基地局（ＢＳ１、ＢＳ２）のうちの少なくとも一方から送信されるパイロット信号の測定の結果と、オフセット値の合計と、前記第１の基地局および前記第２の基地局（ＢＳ１、ＢＳ２）のうちの少なくとも一方から送信されるパイロット信号の測定の結果とのグループのうちの少なくとも１つと、信号の前記測定の前記結果を比較する、請求項１乃至６のいずれか１項に記載の方法。
【請求項８】
前記マスタ基地局（ＢＳ１）は、他方の基地局（ＢＳ２）と、他方の基地局（ＢＳ２）によってサービスされる前記第１のデバイスおよび前記第２のデバイス（ＵＥ１、ＵＥ２）のうちのデバイス（ＵＥ２）とのグループのうちの少なくとも一方のアイデンティティ情報を受信する、請求項１乃至７のいずれか１項に記載の方法。
【請求項９】
前記第１のデバイスおよび前記第２のデバイス（ＵＥ１、ＵＥ２）のうちの一つのデバイス（ＵＥ１）は、前記第１のデバイス（ＵＥ１）と前記第２のデバイス（ＵＥ２）との間の前記直接通信がセットアップされるべきであることを示すコール・セットアップ・プロシージャをトリガする、請求項１乃至８のいずれか１項に記載の方法。
【請求項１０】
ゲートウェイ（ＰＤＮＧＷ）を経由した前記第１のデバイス（ＵＥ１）と前記第２のデバイス（ＵＥ２）との間の通信がセットアップされる場合には、前記ゲートウェイ（ＰＤＮＧＷ）は、前記直接通信の前記確立をトリガする、請求項１乃至８のいずれか１項に記載の方法。
【請求項１１】
信号の前記測定の前記結果は、前記第１の基地局および前記第２の基地局（ＢＳ１、ＢＳ２）のうちの前記他方の基地局（ＢＳ２）からＸ２インターフェースを経由して前記マスタ基地局（ＢＳ１）へと送信される、請求項１乃至１０のいずれか１項に記載の方法。
【請求項１２】
基地局（ＢＳ１）からサービスの提供を受ける第１のデバイス（ＵＥ１）と、第２の基地局（ＢＳ２）からサービスの提供を受ける第２のデバイス（ＵＥ２）との間の通信ネットワークにおける、直接通信を確立するための前記基地局（ＢＳ１）であって、
●前記第１のデバイスおよび前記第２のデバイス（ＵＥ１、ＵＥ２）のうちの別のデバイスによって送信される信号についての、前記第１のデバイスおよび前記第２のデバイス（ＵＥ１、ＵＥ２）のうちの少なくとも一方のデバイスによって実行される信号測定の結果を受信し、
●信号の前記測定の前記結果に基づいて、前記直接通信が確立されるべきかどうかを決定し、
●前記第２の基地局（ＢＳ２）に、前記直接通信が確立されるべきかどうかを通知し、
●前記第１のデバイス（ＵＥ１）と、前記第２の基地局（ＢＳ２）とに、前記直接通信のための割り付けられたリソースについて通知する
ように適合されている、基地局（ＢＳ１）。
【請求項１３】
第１の基地局（ＢＳ１）からサービスの提供を受ける第１のデバイス（ＵＥ１）と、基地局（ＢＳ２）からサービスの提供を受ける第２のデバイス（ＵＥ２）との間の通信ネットワークにおける、直接通信を確立するための前記基地局（ＢＳ２）であって、
●前記第１の基地局（ＢＳ１）から、前記直接通信が確立されるべきかどうかについての情報を受信し、
●前記直接通信のための割り付けられたリソースについて前記第２のデバイス（ＵＥ２）に通知する
ように適合されている、基地局（ＢＳ２）。
【請求項１４】
第１の基地局（ＢＳ１）からサービスの提供を受ける第１のデバイス（ＵＥ１）と、第２の基地局（ＢＳ２）からサービスの提供を受ける第２のデバイス（ＵＥ２）との間の通信ネットワークにおける、直接通信を確立するためのゲートウェイ（ＰＤＮＧＷ）であって、
●前記第１の基地局（ＢＳ１）を経由して前記第１のデバイス（ＵＥ１）から受信されるデータが、前記第２の基地局（ＢＳ２）に対して送信されることを検出し、
●前記直接通信の前記確立をトリガする
ように適合されている、ゲートウェイ（ＰＤＮＧＷ）。
【請求項１５】
第１の基地局（ＢＳ１）からサービスの提供を受ける第１のデバイス（ＵＥ１）と、第２の基地局（ＢＳ２）からサービスの提供を受けるデバイス（ＵＥ２）との間の通信ネットワークにおける、直接通信を確立するための前記デバイス（ＵＥ２）であって、前記第１の基地局（ＢＳ１）のダウンリンク・タイミングに対する時間前進を考慮に入れて、前記第１の基地局（ＢＳ１）とのダウンリンク同期化を実行するように適合されている、デバイス（ＵＥ２）。
【請求項１６】
請求項１２に記載の少なくとも１つの基地局（ＢＳ１）と、請求項１３に記載の少なくとも１つの基地局（ＢＳ２）とを備えている、モバイル通信のための通信ネットワーク（ＣＮ）。
【発明の詳細な説明】
【技術分野】
【０００１】
本発明は、第１の基地局によってサービスされる第１のデバイスと、第２の基地局によってサービスされる第２のデバイスとの間の通信ネットワークにおいて、直接通信を確立するための方法と、前記方法を実行するように適合された基地局、ゲートウェイ、およびデバイスとに関する。
【背景技術】
【０００２】
今日の第３世代パートナーシップ・プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）ベースの通信ネットワークにおいては、デバイスが、通信ネットワークのインフラストラクチャに接続されている。
【０００３】
第３世代パートナーシップ・プロジェクトにおける新しい主題は、直接デバイス・ツー・デバイス（Ｄ２Ｄ：ｄｅｖｉｃｅ−ｔｏ−ｄｅｖｉｃｅ）通信であり、ここでは、実現可能性の研究が、例えば、技術報告３ＧＰＰ  ＴＲ  ２２．８０３の中で説明されるように、例えば、近接サービス（ＰｒｏＳｅ：ｐｒｏｘｉｍｉｔｙ  ｓｅｒｖｉｃｅｓ）のフレームワークにおいて進行中である。
【先行技術文献】
【非特許文献】
【０００４】
【非特許文献１】技術報告３ＧＰＰ  ＴＲ  ２２．８０３
【非特許文献２】規格３ＧＰＰ  ＴＳ  ２３．４０１、セクション５．３．４．１
【非特許文献３】規格３ＧＰＰ  ＴＳ  ２３．０１、セクション５．３．４．３
【発明の概要】
【発明が解決しようとする課題】
【０００５】
現在のＤ２Ｄメカニズムは、一般的に、ＷＬＡＮベースおよびブルートゥース・ベースであり、またユーザは、例えば、スキャンされたデバイスのリストから宛先デバイスを選択することによって、直接接続をセットアップする必要があり、次いで、セキュリティ・キーが交換される必要があり、これは、通常、ユーザにとって不都合である人間の相互作用を伴う。
【０００６】
それゆえに、本発明の基本的なアイデアは、デバイスが、通信ネットワークの通信インフラストラクチャを必要とすることなく、直接Ｄ２Ｄ接続をセットアップするべきではなく、Ｄ２Ｄ接続をセットアップするためにインフラストラクチャをトリガするべきであることである。
【０００７】
最先端の技術による現在の仕様は、例えば、トリガ・メカニズムが、そのような直接デバイス・ツー・デバイス接続をセットアップするために、どの３ＧＰＰメッセージを使用するべきかのような前記トリガ・メカニズムについての詳細を提供してはいない。
【０００８】
ネットワーク支援された直接デバイス・ツー・デバイス（Ｄ２Ｄ）通信は、近接度に基づいたサービスの効率的なサポートのための次世代ワイヤレス通信システムのコンポーネントになること、または公衆安全アプリケーションを可能にすることが期待されている。
【０００９】
直接Ｄ２Ｄリンクは、同じサービング基地局を有する、例えば、ユーザ端末（ＵＥ：ｕｓｅｒ  ｔｅｒｍｉｎａｌ）のような、２つのデバイスの間で確立される可能性があり、または、２つの異なるサービング基地局を有する２つのデバイスの間で確立される可能性もある。後者の場合は、以下で考察される。
【００１０】
本発明の目的は、それゆえに、第１の基地局によってサービスされる第１のデバイスと、第２の基地局によってサービスされる第２のデバイスとの間の通信ネットワークにおいて、高速で柔軟であり、また長期にわたる人間の相互作用を必要としない直接通信を確立するための方法を提案することである。
【００１１】
本発明の実施形態の基本的なアイデアは、基地局間メッセージ交換が、異なるサービング基地局を有する２つのデバイスの間で直接Ｄ２Ｄリンクをセットアップするためのプロシージャを規定することである。
【課題を解決するための手段】
【００１２】
本目的は、それゆえに、第１の基地局によってサービスされる第１のデバイスと、第２の基地局によってサービスされる第２のデバイスとの間の通信ネットワークにおいて、直接通信を確立するための方法によって達成され、そこでは、
●前記第１および第２の基地局のうちの一つの基地局は、前記直接通信の協調のためのマスタ基地局として決定され、
●前記第１および第２のデバイスのうちの少なくとも一方のデバイスは、前記第１および第２のデバイスのうちの別のデバイスによって送信される信号の信号測定を実行し、
●前記第１および第２のデバイスのうちの前記少なくとも一方のデバイスは、マスタ基地局に対して信号の前記測定の結果を報告し、
●マスタ基地局は、信号の前記測定の前記結果に基づいて、直接通信が確立されるべきかどうかを決定し、また前記第１および第２の基地局のうちの別の基地局に、直接通信が確立されるべきかどうかを通知し、
●またマスタ基地局は、前記第１および第２のデバイスのうちの一つのデバイスにどれがマスタ基地局によってサービスされるかを通知し、また他方の基地局に直接通信のための割り付けられたリソースについて通知する。
【００１３】
本発明の目的は、さらに、基地局によってサービスされる第１のデバイスと、第２の基地局によってサービスされる第２のデバイスとの間の通信ネットワークにおいて、直接通信を確立するための基地局によって達成され、そこでは、基地局は、
●前記第１および第２のデバイスのうちの別のデバイスによって送信される信号についての、前記第１および第２のデバイスのうちの少なくとも一方のデバイスによって実行される信号測定の結果を受信し、
●信号の前記測定の前記結果に基づいて、直接通信が、確立されるべきかどうかを決定し、
●第２の基地局に、直接通信が確立されるべきかどうかを通知し、
●また第１のデバイスと、第２の基地局とに、直接通信のための割り付けられたリソースについて通知する
ように適合されている。
【００１４】
本発明の目的は、さらに、第１の基地局によってサービスされる第１のデバイスと、基地局によってサービスされる第２のデバイスとの間の通信ネットワークにおいて、直接通信を確立するための基地局によって達成され、そこでは、基地局は、
●第１の基地局から、直接通信が、確立されるべきかどうかについての情報を受信し、
●また直接通信のための割り付けられたリソースについて第２のデバイスに通知する
ように適合されている。
【００１５】
本発明の目的は、さらに、第１の基地局によってサービスされる第１のデバイスと、第２の基地局によってサービスされる第２のデバイスとの間の通信ネットワークにおいて、直接通信を確立するためのゲートウェイによって達成され、そこでは、ゲートウェイは、
●第１の基地局を経由して第１のデバイスから受信されるデータが、第２の基地局に対して送信されることを検出し、
●また前記直接通信の確立をトリガする
ように適合されている。
【００１６】
本発明の目的は、さらに、第１の基地局によってサービスされる第１のデバイスと、第２の基地局によってサービスされるデバイスとの間の通信ネットワークにおいて、直接通信を確立するための前記デバイスによって達成され、そこでは、前記デバイスは、前記第１の基地局のダウンリンク・タイミングに対する時間前進（Ｔｉｍｅ  Ａｄｖａｎｃｅ）を考慮に入れて、第１の基地局とのダウンリンク同期化を実行するように適合されている。
【００１７】
本発明は、３ＧＰＰ  ＬＴＥのフレームワークの内部で以下において説明されているが、３ＧＰＰ  ＬＴＥに限定されてはおらず、原理的には、例えば、ＷｉＭＡＸネットワーク（ＷｉＭＡＸ＝マイクロ波アクセスのためのワールドワイド・インターオペラビリティ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））におけるように直接Ｄ２Ｄ通信を提供し得る可能性がある他のネットワークにおいて適用される可能性もあり、以下では、ＬＴＥにおいて使用される用語ｅノードＢ（ｅＮｏｄｅＢ）の代わりに、より一般的な用語、基地局が、使用される。
【００１８】
本発明のさらなる発展は、従属請求項と、以下の説明とから収集され得る。
【００１９】
以下では、本発明は、添付の図面を参照してさらに説明される。
【図面の簡単な説明】
【００２０】
【図１】本発明が実施され得る通信ネットワークを概略的に示す図である。
【図２】本発明が実施され得るユーザ端末と、基地局との構造を概略的に示す図である。
【図３】本発明の一実施形態による、第１の基地局によってサービスされる第１のデバイスと、第２の基地局によってサービスされる第２のデバイスとの間の通信ネットワークにおいて、ネットワークによりトリガされた直接通信を確立するためのメッセージ・シーケンス・チャートを概略的に示す図である。
【図４】本発明の一実施形態による、第１の基地局によってサービスされる第１のデバイスと、第２の基地局によってサービスされる第２のデバイスとの間の通信ネットワークにおいて、デバイスによりトリガされた直接通信を確立するためのメッセージ・シーケンス・チャートを概略的に示す図である。
【発明を実施するための形態】
【００２１】
図１は、本発明が実施され得る通信ネットワークの一例として、規格３ＧＰＰ  ＬＴＥによる通信ネットワークＣＮを示す。
【００２２】
前記通信ネットワークＣＮは、第１および第２の基地局ＢＳ１およびＢＳ２と、ユーザ端末ＵＥ１およびＵＥ２と、サービング・ゲートウェイＳＧＷと、パケット・データ・ネットワーク・ゲートウェイＰＤＮＧＷと、モビリティ管理エンティティＭＭＥとを備えている。
【００２３】
ユーザ端末ＵＥ１およびＵＥ２は、第１の基地局ＢＳ１および第２の基地局ＢＳ２のカバレッジ・エリアＣＢＳ１およびＣＢＳ２の中にそれぞれ位置しており、無線接続ＲＣ１およびＲＣ２を経由して、それぞれ第１の基地局ＢＳ１および第２の基地局ＢＳ２に接続される。ＬＴＥの将来の発展においては、ユーザ端末ＵＥ１〜ＵＥ２のおのおのは、無線接続を経由して複数の基地局に接続される可能性もある。基地局ＢＳ１およびＢＳ２は、いわゆるＳ１インターフェースを経由して、サービング・ゲートウェイＳＧＷに接続され、またモビリティ管理エンティティＭＭＥに、すなわち、進化型パケット・コア（ＥＰＣ：ｅｖｏｌｖｅｄ  ｐａｃｋｅｔ  ｃｏｒｅ）に接続される。
【００２４】
基地局ＢＳ１とＢＳ２とは、いわゆるＸ２インターフェースを経由して、互いに接続される。
【００２５】
サービング・ゲートウェイＳＧＷは、パケット・データ・ネットワーク・ゲートウェイＰＤＮＧＷに接続され、このパケット・データ・ネットワーク・ゲートウェイＰＤＮＧＷは、外部ＩＰネットワークＩＰＮに接続される。サービング・ゲートウェイＳＧＷは、さらに、いわゆるＳ１１インターフェースを経由してモビリティ管理エンティティＭＭＥに接続される。
【００２６】
Ｓ１インターフェースは、基地局、すなわち、この例におけるｅノードＢと、進化型パケット・コア（ＥＰＣ）との間の標準化されたインターフェースである。Ｓ１インターフェースは、２つのフレーバー、すなわち、基地局ＢＳ１およびＢＳ２のうちの一方と、モビリティ管理エンティティＭＭＥとの間の信号メッセージの交換のためのＳ１−ＭＭＥと、基地局ＢＳ１およびＢＳ２のうちの一方と、サービング・ゲートウェイＳＧＷとの間のユーザ・データグラムの移送のためのＳ１−Ｕとを有する。
【００２７】
Ｘ２インターフェースは、主として、３ＧＰＰ  ＬＴＥ規格において追加されて、ハンドオーバ中に、ユーザ・プレーン信号と、制御プレーン信号とを転送する。
【００２８】
サービング・ゲートウェイＳＧＷは、基地局ＢＳ１およびＢＳ２と、パケット・データ・ネットワーク・ゲートウェイＰＤＮＧＷとの間でＩＰユーザ・データのルーティングを実行する。さらに、サービング・ゲートウェイＳＧＷは、異なる基地局の間、または異なる３ＧＰＰアクセス・ネットワークの間のいずれかで、ハンドオーバ中に、モバイル・アンカー・ポイントとしての機能を果たす。
【００２９】
パケット・データ・ネットワーク・ゲートウェイＰＤＮＧＷは、外部ＩＰネットワークＩＰＮに対するインターフェースを表し、ユーザ端末ＵＥ１、ＵＥ２と、それぞれのサービング基地局ＢＳ１、ＢＳ２との間で確立されるいわゆるＥＰＳベアラ（ＥＰＳ＝進化型パケット・システム（Ｅｖｏｌｖｅｄ  Ｐａｃｋｅｔ  Ｓｙｓｔｅｍ））を終端させる。
【００３０】
モビリティ管理エンティティＭＭＥは、加入者管理と、セッション管理とのタスクを実行し、異なるアクセス・ネットワークの間のハンドオーバ中にモビリティ管理をさらに実行する。
【００３１】
第１のユーザ端末ＵＥ１と、第２のユーザ端末ＵＥ２との間の直接Ｄ２Ｄリンクが、確立されている場合には、第１および第２のユーザ端末ＵＥ１およびＵＥ２の間におけるユーザ・データの直接送信のためのユーザ・プレーンＵＰＬが確立される。第１のユーザ端末ＵＥ１の対応する制御プレーンＣＰＬ１は、第１の基地局ＢＳ１を経由して、第１のユーザ端末ＵＥ１と、モビリティ管理エンティティＭＭＥとの間で確立され、第２のユーザ端末ＵＥ２の対応する制御プレーンＣＰＬ２は、第２の基地局ＢＳ２を経由して第２のユーザ端末ＵＥ２と、モビリティ管理エンティティＭＭＥとの間で確立される。
【００３２】
本発明の実施形態によれば、第１の基地局によってサービスされる第１のデバイスと、第２の基地局によってサービスされる第２のデバイスとの間の通信ネットワークにおいて、デバイスによりトリガされ、またネットワークによりトリガされた直接通信を確立するための方法が提案され、図３および４の下において以下で説明される。
【００３３】
図２は、本発明が実施され得るユーザ端末ＵＥと、基地局ＢＳとの構造を概略的に示す。
【００３４】
基地局ＢＳは、例として、３つのモデム・ユニット・ボードＭＵ１〜ＭＵ３と、制御ユニット・ボードＣＵ１とを備えており、この制御ユニット・ボードＣＵ１は、媒体依存アダプタＭＤＡを備えている。
【００３５】
３つのモデム・ユニット・ボードＭＵ１〜ＭＵ３は、制御ユニット・ボードＣＵ１に接続され、またいわゆる共通公衆無線インターフェース（ＣＰＲＩ：Ｃｏｍｍｏｎ  Ｐｕｂｌｉｃ  Ｒａｄｉｏ  Ｉｎｔｅｒｆａｃｅ）を経由して、それぞれのリモート無線ヘッドＲＲＨ１、ＲＲＨ２、またはＲＲＨ３に接続される。
【００３６】
リモート無線ヘッドＲＲＨ１、ＲＲＨ２、およびＲＲＨ３のおのおのは、例として、無線インターフェースを経由して、データの送信および受信のために、２つのリモート無線ヘッド・アンテナＲＲＨＡ１およびＲＲＨＡ２に接続される。前記２つのリモート無線ヘッド・アンテナＲＲＨＡ１およびＲＲＨＡ２は、簡単にするために、図２においてはリモート無線ヘッドＲＲＨ１について示されるだけである。
【００３７】
媒体依存アダプタＭＤＡは、モビリティ管理エンティティＭＭＥに接続され、またサービング・ゲートウェイＳＧＷに接続され、またこのようにしてパケット・データ・ネットワーク・ゲートウェイＰＤＮＧＷに接続され、このパケット・データ・ネットワーク・ゲートウェイＰＤＮＧＷは、外部ＩＰネットワークＩＰＮに接続される。
【００３８】
ユーザ端末ＵＥは、例として、２つのユーザ端末アンテナＵＥＡ１およびＵＥＡ２と、モデム・ユニット・ボードＭＵ４と、制御ユニット・ボードＣＵ２と、インターフェースＩＮＴとを備えている。
【００３９】
２つのユーザ端末アンテナＵＥＡ１およびＵＥＡ２は、モデム・ユニット・ボードＭＵ４に接続される。モデム・ユニット・ボードＭＵ４は、制御ユニット・ボードＣＵ２に接続され、この制御ユニット・ボードＣＵ２は、インターフェースＩＮＴに接続される。
【００４０】
モデム・ユニット・ボードＭＵ１〜ＭＵ４と、制御ユニット・ボードＣＵ１、ＣＵ２とは、以下で説明されるタスクを実行することを可能にするために、例として、フィールド・プログラマブル・ゲート・アレイ（ＦＰＧＡ：Ｆｉｅｌｄ  Ｐｒｏｇｒａｍｍａｂｌｅ  Ｇａｔｅ  Ａｒｒａｙｓ）と、デジタル信号プロセッサ（ＤＳＰ：Ｄｉｇｉｔａｌ  Ｓｉｇｎａｌ  Ｐｒｏｃｅｓｓｏｒｓ）と、マイクロプロセッサと、スイッチと、例えば、ダブル・データ・レート・シンクロナス・ダイナミック・ランダム・アクセス・メモリ（ＤＤＲ−ＳＤＲＡＭ：Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｉｅｓ）のようなメモリとを備えている可能性がある。
【００４１】
リモート無線ヘッドＲＲＨ１、ＲＲＨ２、およびＲＲＨ３は、いわゆる無線機器を、例えば、デルタ・シグマ変調器（ＤＳＭ：ｄｅｌｔａ−ｓｉｇｍａ  ｍｏｄｕｌａｔｏｒｓ）およびスイッチ・モード増幅器のような変調器および増幅器を備えている。
【００４２】
ダウンリンクにおいては、外部ＩＰネットワークＩＰＮから受信されるＩＰデータは、ＥＰＳベアラの上で、パケット・データ・ネットワーク・ゲートウェイＰＤＮＧＷからサービング・ゲートウェイＳＧＷを経由して基地局ＢＳの媒体依存アダプタＭＤＡに対して送信される。媒体依存アダプタＭＤＡは、例えば、ファイバまたは電気接続のような異なる媒体に対する接続性を可能にする。
【００４３】
制御ユニット・ボードＣＵ１は、レイヤ３の上で、すなわち、無線リソース制御（ＲＲＣ：ｒａｄｉｏ  ｒｅｓｏｕｒｃｅ  ｃｏｎｔｒｏｌ）レイヤの上で、測定、セル再選択、ハンドオーバ、ＲＲＣセキュリティ、インテグリティなどのタスクを実行する。
【００４４】
さらに、制御ユニット・ボードＣＵ１は、オペレーションとメンテナンスとのためのタスクを実行し、Ｓ１インターフェースと、Ｘ２インターフェースと、共通公衆無線インターフェースとを制御する。
【００４５】
制御ユニット・ボードＣＵ１は、さらなる処理のために、モデム・ユニット・ボードＭＵ１〜ＭＵ３に対してサービング・ゲートウェイＳＧＷから受信されるＩＰデータを送信する。
【００４６】
３つのモデム・ユニット・ボードＭＵ１〜ＭＵ３は、レイヤ２の上で、すなわち、例えば、ヘッダ圧縮と暗号化とについての役割を担っているＰＤＣＰレイヤ（ＰＤＣＰ＝パケット・データ・コンバージェンス・プロトコル（Ｐａｃｋｅｔ  Ｄａｔａ  Ｃｏｎｖｅｒｇｅｎｃｅ  Ｐｒｏｔｏｃｏｌ））の上で、例えば、セグメンテーションと、自動反復要求（ＡＲＱ：Ａｕｔｏｍａｔｉｃ  Ｒｅｐｅａｔ  Ｒｅｑｕｅｓｔ）とについての役割を担っているＲＬＣレイヤ（ＲＬＣ＝無線リンク制御（Ｒａｄｉｏ  Ｌｉｎｋ  Ｃｏｎｔｒｏｌ））の上で、またＭＡＣ多重化と、ハイブリッド自動反復要求（ＨＡＲＱ：Ｈｙｂｒｉｄ  Ａｕｔｏｍａｔｉｃ  Ｒｅｐｅａｔ  Ｒｅｑｕｅｓｔ）とについての役割を担っているＭＡＣレイヤ（ＭＡＣ＝メディア・アクセス制御（Ｍｅｄｉａ  Ａｃｃｅｓｓ  Ｃｏｎｔｒｏｌ））の上でデータ処理を実行する。
【００４７】
さらに、３つのモデム・ユニット・ボードＭＵ１〜ＭＵ３は、物理レイヤの上で、データ処理を、すなわち、符号化と、変調と、アンテナおよびリソース・ブロックのマッピングとを実行する。
【００４８】
符号化され、また変調されたデータは、アンテナと、リソース・ブロックとにマッピングされ、共通公衆無線インターフェースを通じてモデム・ユニット・ボードＭＵ１〜ＭＵ３から、それぞれのリモート無線ヘッドＲＲＨ１、ＲＲＨ２、またはＲＲＨ３に対して、またエア・インターフェースを通じての送信のために、それぞれのリモート無線ヘッド・アンテナＲＲＨＡ１、ＲＲＨＡ２に対して送信シンボルとして送信される。
【００４９】
共通公衆無線インターフェース（ＣＰＲＩ）は、分散型のアーキテクチャの使用を可能にしており、ここでは、いわゆる無線機器制御を含む基地局ＢＳは、好ましくは、ＣＰＲＩデータを搬送する無損失ファイバ・リンクを経由してリモート無線ヘッドＲＲＨ１、ＲＲＨ２、およびＲＲＨ３に接続される。例えば、増幅器のようないわゆる無線機器を含むリモート無線ヘッドＲＲＨ１、ＲＲＨ２、およびＲＲＨ３だけが、環境的に厳しいロケーションに位置している必要があるので、このアーキテクチャは、サービス・プロバイダのためのコストを低減させる。基地局ＢＳは、あまり厳しくないロケーションの中央に位置している可能性があり、ここでは、フットプリントと、気候と、電力の使用可能性とは、より簡単に管理される。
【００５０】
ユーザ端末アンテナＵＥＡ１、ＵＥＡ２は、送信シンボルを受信し、モデム・ユニット・ボードＭＵ４に対して受信したデータを供給する。
【００５１】
モデム・ユニット・ボードＭＵ４は、物理レイヤの上で、データ処理を、すなわち、アンテナおよびリソース・ブロックのデマッピングと、復調と、復号とを実行する。
【００５２】
さらに、モデム・ユニット・ボードＭＵ４は、レイヤ２の上で、すなわち、ハイブリッド自動反復要求（ＨＡＲＱ）についての、またＭＡＣデマルチプレクシングについての役割を担っているＭＡＣレイヤ（ＭＡＣ＝メディア・アクセス制御）の上で、例えば、再構成（ｒｅａｓｓｅｍｂｌｙ）と、自動反復要求（ＡＲＱ）とについての役割を担っているＲＬＣレイヤ（ＲＬＣ＝無線リンク制御）の上で、また例えば、暗号解読と、ヘッダ圧縮とについての役割を担っているＰＤＣＰレイヤ（ＰＤＣＰ＝パケット・データ・コンバージェンス・プロトコル）上でデータ処理を実行する。
【００５３】
モデム・ユニット・ボードＭＵ４上の処理は、制御ユニット・ボードＣＵ２に対して送信されるＩＰデータをもたらし、この制御ユニット・ボードＣＵ２は、レイヤ３の上で、すなわち、無線リソース制御（ＲＲＣ）レイヤの上で、測定、セル再選択、ハンドオーバ、ＲＲＣセキュリティ、インテグリティなどのタスクを実行する。
【００５４】
ＩＰデータは、出力と、ユーザとの相互作用とのために制御ユニット・ボードＣＵ２からそれぞれのインターフェースＩＮＴへと送信される。
【００５５】
アップリンクにおいては、データ送信は、ユーザ端末ＵＥから外部ＩＰネットワークＩＰＮへと逆方向にアナログ的なやり方で実行される。
【００５６】
その後、例えば、図１に示されるような、高速であり、柔軟であり、長期にわたる人間の相互作用を必要としない、第１の基地局によってサービスされる第１のデバイスと、第２の基地局によってサービスされる第２のデバイスとの間の通信ネットワークにおいて、直接通信を確立するための方法が、提案され、本発明の実施形態に従って説明される。
【００５７】
図３は、例えば、図１に示され、上記で説明されるような、本発明の一実施形態による、第１の基地局によってサービスされる第１のデバイスと、第２の基地局によってサービスされる第２のデバイスとの間の通信ネットワークにおいて、ネットワークによりトリガされた直接通信を確立するためのメッセージ・シーケンス・チャートを概略的に示す。
【００５８】
ステップ１において、第１のユーザ端末ＵＥ１は、例えば、規格３ＧＰＰ  ＴＳ  ２３．４０１、セクション５．３．４．１において説明されるような、例えば、ＵＥによりトリガされたサービス要求を用いて、公衆データ・ネットワーク（ＰＤＮ：Ｐｕｂｌｉｃ  Ｄａｔａ  Ｎｅｔｗｏｒｋ）に対する従来のセッションをセットアップする。
【００５９】
ステップ２において、第１のユーザ端末ＵＥ１は、第２のユーザ端末ＵＥ２のためのアップリンク・データを公衆データ・ネットワーク・ゲートウェイＰＤＮＧＷに対して送信する。公衆データ・ネットワーク・ゲートウェイＰＤＮＧＷにおいては、アップリンク・データは、第２のユーザ端末ＵＥ２に向かってルーティングして戻される。
【００６０】
ステップ３において、第２のユーザ端末ＵＥ２がアクティブ・セッションを有するべきではないので、例えば、アイドル・モードにあるので、ネットワークによりトリガされたサービス要求またはセッション・セットアップは、例えば、規格３ＧＰＰ  ＴＳ  ２３．０１、セクション５．３．４．３において説明されるように、実行される必要がある。
【００６１】
ステップ４において、ダウンリンク・データ・パケットは、第２のユーザ端末ＵＥ２に向かって移送される。
【００６２】
ステップ５において、公衆データ・ネットワーク・ゲートウェイＰＤＮＧＷは、オペレータのネットワークに、すなわち、実施形態における３ＧＰＰネットワークに由来するユーザ・プレーン・トラフィック、すなわち、一般的に、ＩＰパケットが、オペレータのネットワークにルーティングされて戻されるので、例えば、Ｄ２Ｄ接続を経由したルーティングの最適化が可能であることを検出し、モビリティ管理エンティティＭＭＥに向かって通知の送信を開始する。実施形態は、ユーザが公衆ネットワークに対して通常のパケット・データ・セッションをセットアップする場合に基づいているので、モビリティ管理エンティティＭＭＥのような制御要素は、ＩＰセッションの最終的な宛先についての情報を有してはいない。しかしながら、公衆データ・ネットワーク・ゲートウェイＰＤＮＧＷが、第１のユーザ端末ＵＥ１からのＩＰトラフィックのトランスペアレントなルーティングを終了させるので、公衆データ・ネットワーク・ゲートウェイＰＤＮＧＷは、ＩＰトラフィックが再ルーティングされることを知っており、送信しまた受信するユーザ端末ＵＥ１およびＵＥ２のアイデンティティも知っている。そのようにして、公衆データ・ネットワーク・ゲートウェイＰＤＮＧＷは、２つのユーザ端末ＵＥ１とＵＥ２とが互いに通信し、またこの情報に基づいて、Ｄ２Ｄ通信の可能性を分析するためのさらなるメカニズムがトリガされ得ることを知っている。それゆえに、ユーザ・プレーン・トラフィックの再ルーティングは、ルーティングが最適化され得るかどうかと、ルーティングがどのようにして最適化され得るかと、直接デバイス・ツー・デバイス接続が適切であることが分かるかどうかとを分析するメカニズムをトリガする。例えば、以下で説明されるように、可能なＤ２Ｄ接続の分析によって、直接デバイス・ツー・デバイス接続が適切であることを示される場合、直接デバイス・ツー・デバイス接続がセットアップされるべきである。そのような分析メカニズムは、例えば、この実施形態において説明されるようなモビリティ管理エンティティＭＭＥの中に位置している可能性がある。
【００６３】
ステップ６において、３ＧＰＰアーキテクチャにおいては、公衆データ・ネットワーク・ゲートウェイＰＤＮＧＷと、モビリティ管理エンティティＭＭＥとの間には直接インターフェースが存在していないので、再ルーティング通知メッセージが、Ｄ２Ｄ通信の可能性を示すサービング・ゲートウェイＳＧＷに対して最初に送信される。前記再ルーティング通知メッセージは、送信し、また受信するユーザ端末ＵＥ１およびＵＥ２のアイデンティティについての情報を含んでいる。
【００６４】
ステップ７において、サービング・ゲートウェイＳＧＷは、モビリティ管理エンティティＭＭＥに対して再ルーティング通知メッセージを送信する。
【００６５】
ステップ８において、モビリティ管理エンティティＭＭＥは、マスタ基地局を決定し、このマスタ基地局は、実施形態における第１の基地局ＢＳ１であり、直接Ｄ２Ｄリンクが使用され得るかどうかをチェックする役割を担っている。マスタ基地局は、原理的に、サービング基地局ＢＳ１およびＢＳ２のいずれかとすることができる。実施形態におけるようなネットワークによりトリガされたコール・セットアップを用いて、マスタ基地局は、無線アクセス・ネットワークへと戻り、またはある種の隣接基地局へと進むより多くのトラフィックを生成する基地局であることが好ましく、この隣接基地局は、実施形態における第１の基地局ＢＳ１であるべきである。このようにして、実施形態においては、第１の基地局ＢＳ１は、マスタ基地局として選択される。ユーザ端末によってトリガされるＤ２Ｄリンクについてのコール・セットアップ・プロシージャを用いて、図４に示され、以下で説明される実施形態におけるように、自然な選択は、マスタ基地局として、ユーザ端末をトリガするコール・セットアップ・プロシージャのサービング基地局を選択することである。しかしながら、さらなる実施形態においては、マスタ基地局についての決定はまた、例えば、制御プレーンまたはユーザ・プレーンの負荷のような基地局における負荷に基づいたもの、あるいは接続されたユーザ端末の数に基づいたものとすることもできる。マスタ基地局についての決定はまた、サポートされた無線スペクトル、ビーコン信号またはデータの送信や受信などの直接Ｄ２Ｄ通信をサポートする能力など、ユーザ端末の能力、あるいはサポートされた規格のリリースに基づいたものとすることもできる。
【００６６】
ステップ９において、モビリティ管理エンティティＭＭＥは、可能なＤ２Ｄリンクにおいて必要とされる第２のユーザ端末ＵＥ２の、後でスレーブ基地局と呼ばれるサービング基地局ＢＳ２についての情報をマスタ基地局ＢＳ１に対して送信する。前記情報は、例えば、スレーブ基地局ＢＳ２のセル−ＩＤまたはＩＰアドレスと、例えば、セル無線ネットワーク一時的アイデンティティ（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｔｙ）または一時的国際モバイル加入者アイデンティティ（ＴＩＭＳＩ：Ｔｅｍｐｏｒａｒｙ  Ｉｎｔｅｒｎａｔｉｏｎａｌ  Ｍｏｂｉｌｅ  Ｓｕｂｓｃｒｉｂｅｒ  Ｉｄｅｎｔｉｔｙ）のような、スレーブ基地局ＢＳ２にアタッチされる第２のユーザ端末ＵＥ２のアイデンティティ情報とを含むことができる。
【００６７】
ステップ１０において、マスタ基地局ＢＳ１は、第２のユーザ端末ＵＥ２をトリガして、マスタ基地局ＢＳ１によって提供されるセルとのダウンリンク同期化を確立し、また例えば、いわゆるザドフ−チュー・シーケンス（Ｚａｄｏｆｆ−Ｃｈｕ  ｓｅｑｕｅｎｃｅ）のルート値およびシフト値としての、例えば、時間−周波数リソースまたは拡散コードと、信号パラメータとのような所定のリソース割付けを用いて、場合によっては時間前進を考慮に入れて、ビーコン信号を送信し、かつ／または、例えば、第１のユーザ端末ＵＥ１によって送信される所定のビーコン信号を検出するように、スレーブ基地局ＢＳ２に指示する。代替として、第２のユーザ端末ＵＥ２をトリガして、マスタ基地局ＢＳ１によって提供されるセルとのダウンリンク同期化を確立する代わりに、マスタ基地局ＢＳ１は、第２のユーザ端末ＵＥ２のハンドオーバをトリガして、第２の基地局Ｂ２から第１の基地局ＢＳ１へとサービング・セルを変更するように、スレーブ基地局ＢＳ２に指示することができる。この実施形態においては、第２のユーザ端末ＵＥ２は、例えば、いわゆるソフト・ハンドオーバ・モードで実行される可能性があり、Ｄ２Ｄリンクは、マスタ基地局ＢＳ１を経由して単独で実行される可能性もある。例えば、ダウンロードのようなネットワーク・サービスは、依然として、スレーブ基地局ＢＳ２を経由して実行される可能性がある。
【００６８】
ステップ１１において、マスタ基地局ＢＳ１は、さらに、例えば、いわゆるザドフ−チュー・シーケンスのルート値およびシフト値としての、例えば、時間−周波数リソースまたは拡散コードと、信号パラメータとのような所定のリソース割付けを用いて、場合によっては時間前進を考慮に入れて、ビーコン信号を送信し、かつ／または、例えば、第２のユーザ端末ＵＥ２によって送信される所定のビーコン信号を検出するように、第１のユーザ端末ＵＥ１に指示する。
【００６９】
ステップ１２において、第１のユーザ端末ＵＥ１は、第２のユーザ端末ＵＥ２によって送信されるビーコン信号の受信電力や、受信された信号対干渉雑音比（ＳＩＮＲ：Ｓｉｇｎａｌ  ｔｏ  Ｉｎｔｅｒｆｅｒｅｎｃｅ  ａｎｄ  Ｎｏｉｓｅ  Ｒａｔｉｏ）などの測定結果をサービング・マスタ基地局ＢＳ１に対して報告する。第１のユーザ端末ＵＥ１は、例えば、基準信号受信電力（ＲＳＲＰ：Ｒｅｆｅｒｅｎｃｅ  Ｓｉｇｎａｌ  Ｒｅｃｅｉｖｅｄ  Ｐｏｗｅｒ）ハンドオーバ測定結果またはＣＱＩ測定結果のようなサービング・マスタ基地局ＢＳ１によって送出されるパイロットに基づいて、測定結果を報告することも、好ましい。
【００７０】
ステップ１３において、第２のユーザ端末ＵＥ２は、第１のユーザ端末ＵＥ１によって送信されるビーコン信号の受信電力や受信された信号対干渉雑音比（ＳＩＮＲ）などの測定結果をサービング・スレーブ基地局ＢＳ２を経由してマスタ基地局ＢＳ１に対して報告する。第２のユーザ端末ＵＥ２は、例えば、基準信号受信電力（ＲＳＲＰ）ハンドオーバ測定結果またはＣＱＩ測定結果のようなサービング・スレーブ基地局ＢＳ２によって送出されるパイロットに基づいて、測定結果を報告することも好ましい。本発明の一実施形態においては、スレーブ基地局ＢＳ２は、例えば、信号オーバーヘッドを低減させるように複数の報告された測定結果を平均することにより、測定結果を最初に処理する。本発明の実施形態によれば、ユーザ端末ＵＥ１とＵＥ２との両方が、ビーコン信号を送信しまた検出するか、あるいはただ一方のユーザ端末ＵＥ１またはＵＥ２がビーコン信号を送信し、他方のユーザ端末ＵＥ１またはＵＥ２が、ビーコン信号を検出するかのいずれかである。
【００７１】
ステップ１４において、マスタ基地局ＢＳ１は、オフセット値と合計されることが好ましいパイロット・ベースの測定報告と、ビーコン・ベースの測定報告を比較することにより、かつ／または、例えば、オペレーションおよびメンテナンス（Ｏ＆Ｍ）を経由して構成可能なしきい値と、ビーコン・ベースの測定報告を比較することにより、第１のユーザ端末ＵＥ１および／または第２のユーザ端末ＵＥ２からの受信された測定報告を分析する。マスタ基地局ＢＳ１は、受信されたビーコン電力がしきい値よりも上にある場合、または受信されたビーコンＳＩＮＲがパイロットＳＩＮＲ＋オフセット値よりも高い場合にだけ、Ｄ２Ｄ通信を使用することを、例えば、決定することができる。本発明の一実施形態においては、マスタ基地局ＢＳ１は、さらに、場合によっては時間前進を考慮に入れて、例えば、時間−周波数リソースの準静的割付けにより、直接Ｄ２Ｄ通信のリソース割付けについて決定することができる。代替として、直接Ｄ２Ｄ通信のリソース割付けは、例えば、オペレーションおよびメンテナンス（Ｏ＆Ｍ）によってあらかじめ規定される可能性もあり、またはオペレーションおよびメンテナンス（Ｏ＆Ｍ）は、マスタ基地局ＢＳ１が、リソース割付けについてどのようにして決定するかについてのいくつかの規則を提供することができる。
【００７２】
ステップ１５において、マスタ基地局ＢＳ１は、第１および第２のユーザ端末ＵＥ１およびＵＥ２の間の直接Ｄ２Ｄ通信が確立されるべきであるとマスタ基地局ＢＳ１が決定している場合に、第１のユーザ端末ＵＥ１に対して、直接Ｄ２Ｄ通信のためのリソース割付けについての情報を搬送する。直接Ｄ２Ｄ通信が確立されるべきでない場合には、マスタ基地局ＢＳ１は、第１のユーザ端末ＵＥ１をトリガして、ビーコン信号の送信／受信を停止させる。
【００７３】
ステップ１６において、マスタ基地局ＢＳ１は、直接Ｄ２Ｄ通信が確立されるべきかどうかの決定についてスレーブ基地局ＢＳ２に通知し、スレーブ基地局ＢＳ２は、マスタ基地局ＢＳ１が、場合によってはマスタ基地局ＢＳ１のＤＬタイミングに対する時間前進を考慮に入れて、第１および第２のユーザ端末ＵＥ１およびＵＥ２の間の直接Ｄ２Ｄ通信が確立されるべきであると決定している場合に、第２のユーザ端末ＵＥ２に対して、直接Ｄ２Ｄ通信のためのリソース割付けについての情報を転送する。直接Ｄ２Ｄ通信が確立されるべきでない場合には、スレーブ基地局ＢＳ２は、第２のユーザ端末ＵＥ２をトリガして、ビーコン信号の送信／受信を停止させる。
【００７４】
ステップ１５および１６において搬送されるリソース割付けについての情報に基づいて、ユーザ端末ＵＥ１およびＵＥ２は、ステップ１７において示されるように、直接Ｄ２Ｄ通信を確立することができる。
【００７５】
図４は、本発明の一実施形態による、例えば、図１に示され、上記で説明されたような、第１の基地局によってサービスされる第１のデバイスと、第２の基地局によってサービスされる第２のデバイスとの間の通信ネットワークにおいて、デバイスによりトリガされた直接通信を確立するためのメッセージ・シーケンス・チャートを概略的に示す。このメカニズムは、第１のユーザ端末ＵＥ１が、公衆データ・ネットワーク（ＰＤＮ）接続要求の中で、直接Ｄ２Ｄ通信を要求するためのインジケータと、第２のユーザ端末ＵＥ２のアドレスとを送信する場合に、適用されることもある。
【００７６】
ステップ１において、第１のユーザ端末ＵＥ１は、直接Ｄ２Ｄ通信のための接続要求をモビリティ管理エンティティＭＭＥに対して送信する。第１のユーザ端末ＵＥ１は、従来のコール・セットアップ方法を使用して、直接Ｄ２Ｄ接続を確立するが、ＰＤＮ接続要求の中の情報要素のうちの１つが、直接Ｄ２Ｄ接続が要求されることを示すインジケータを含むという違いを伴っている。前記インジケータは、例えば、ＡＰＮ、例えば、「直接Ｄ２Ｄ接続」のための、次いで、別個のパラメータの形で直接Ｄ２Ｄ接続のための第２のユーザ端末ＵＥ２の識別子を与える新しく規定された値、または呼び出される第２のユーザ端末ＵＥ２の電話番号、すなわち、直接にはＡＰＮアドレスのような移動局国際加入者ディレクトリ番号（ＭＳＩＳＤＮ：Ｍｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ）とすることができる。
【００７７】
ステップ２において、直接Ｄ２Ｄ接続を要求するための前記インジケータを受信する手段により、モビリティ管理エンティティＭＭＥは、第１のユーザ端末ＵＥ１が、第２のユーザ端末ＵＥ２との直接Ｄ２Ｄ接続をセットアップしたいと考えていることを検出する。それゆえに、モビリティ管理エンティティＭＭＥは、第２の基地局ＢＳ２に対してページング要求メッセージを送信する。
【００７８】
ステップ３において、第２の基地局ＢＳ２は、第２のユーザ端末ＵＥ２に対してページング要求メッセージを送信する。
【００７９】
ステップ４において、受信されたページング要求によってトリガされて、ユーザ端末ＵＥ２は、第２の基地局ＢＳ２に対して非アクセス階層（ＮＡＳ：Ｎｏｎ  Ａｃｃｅｓｓ  Ｓｔｒａｔｕｍ）サービス要求を送信する。ＮＡＳサービス要求プロシージャの目的は、例えば、アップリンク・ユーザ・データまたは信号データが送信されるべきときに、ＥＭＭ−アイドル・モードからＥＭＭ−接続モードへとＥＰＳモビリティ管理（ＥＭＭ：ＥＰＳ  Ｍｏｂｉｌｉｔｙ  Ｍａｎａｇｅｍｅｎｔ）モードを移すことであり、また無線ベアラと、Ｓ１ベアラとを確立することである。
【００８０】
ステップ５において、第２の基地局ＢＳ２は、モビリティ管理エンティティＭＭＥに対して、ＮＡＳサービス要求を送信する。
【００８１】
ステップ６において、第２のユーザ端末ＵＥ２のための認証およびセキュリティのプロシージャが、ネットワークにおいてトリガされる。
【００８２】
ステップ７において、モビリティ管理エンティティＭＭＥは、第２の基地局ＢＳ２と、サービング・ゲートウェイＳＧＷとの間でベアラを確立する。それは、第２のユーザ端末ＵＥ２用のコンテキストを生成するために、Ｓ１−アプリケーション・プロトコル（Ｓ１−ＡＰ：Ｓ１−Ａｐｐｌｉｃａｔｉｏｎ  Ｐｒｏｔｏｃｏｌ）初期コンテキスト・セットアップ要求を第２の基地局ＢＳ２に対して送信し、このコンテキストは、ベアラ・コンテキストと、セキュリティ・コンテキストとを含んでいる。初期コンテキスト・セットアップ要求を受信した後に、第２の基地局ＢＳ２は、セキュリティ・モード・コマンド・プロシージャを開始することにより、第２のユーザ端末ＵＥ２とのセキュリティ・パラメータを確立する。
【００８３】
ステップ８において、モビリティ管理エンティティＭＭＥは、マスタ基地局を決定し、このマスタ基地局は、実施形態における第１の基地局ＢＳ１であり、直接Ｄ２Ｄ接続が使用され得るかどうかをチェックする役割を担っている。マスタ基地局は、原理的には、サービング基地局ＢＳ１と、ＢＳ２とのうちのいずれかとすることができる。実施形態におけるように、ユーザ端末によってコール・セットアップ・プロシージャがトリガされる場合、自然な選択は、ユーザ端末をトリガするコール・セットアップ・プロシージャのサービング基地局をマスタ基地局として選択することである。それゆえに、実施形態においては、トリガする第１のユーザ端末ＵＥ１のサービング基地局のような第１の基地局ＢＳ１は、マスタ基地局として選択される。次いで、ネットワークは、例えば、加入および能力のようなパラメータが直接Ｄ２Ｄ接続のセットアップを可能にするかどうかをチェックする。そうである場合、直接Ｄ２Ｄ接続のセットアップは、図３におけるステップ９〜１７の中に示され、上記で説明されたように、モビリティ管理エンティティＭＭＥによってトリガされる。
【００８４】
上記で説明され、例えば、図３および４の中に示された実施形態において、対応する処理ステップは、例えば、第１および第２の基地局ＢＳ１、ＢＳ２のモデム・ユニット・ボードＭＵ１〜ＭＵ３と、制御ユニット・ボードＣＵ１との中で、また図２において示され、上記で説明されたようなユーザ端末ＵＥ１、ＵＥ２のモデム・ユニット・ボードＭＵ４と、制御ユニット・ボードＣＵ２との中で実行される可能性がある。
【図１】
2016512669.tif 000003
【図２】
2016512669.tif 000004
【図３】
2016512669.tif 000005
【図４】
2016512669.tif 000006
【国際調査報告】
2016512669.tif 000007
2016512669.tif 000008
2016512669.tif 000009